(57)【特許請求の範囲】
【請求項１】
浴室及び脱衣室の天井もしくは天井付近に設けられて、少なくともいずれか一方の室の暖房を可能に構成すると共に、これら両室の換気を単一の電動機で可能に構成する浴室暖房機において、
一方の開口が屋外へつながる排気ダクトの他方を少なくとも２つの第１の開口と第２の開口とに分割し、
浴室又は脱衣室のいずれか一方に設けた開口から排気空気を前記電動機で駆動されるファンを介して第１の開口へ導く風路と、
浴室又は脱衣室の他方に設けた開口から排気空気を前記排気ダクトの一部及び第２の開口を介して前記ファンへ導く風路とを備えることを特徴とする浴室暖房機。
【請求項２】
前記排気ダクトの他方側は内部が少なくとも２分割されてそれぞれ第１の開口と第２の開口とにつながると共に、第２の開口につながる風路は第１の開口につながる風路と独立して構成され浴室又は脱衣室の他方に設けられた開口につながる風路につながっていることを特徴とする請求項１記載の浴室暖房機。
【請求項３】
前記ファンの吸い込み側を浴室又は脱衣室のいずれか一方の開口につながる区間と第２の開口につながる区間とに分割する区画壁を備えることを特徴とする請求項２記載の浴室暖房機。
【請求項４】
第２の開口につながる区間の前記ファンに面した断面積は浴室又は脱衣室のいずれか一方の開口につながる区間の前記ファンに面する断面積より小さいことを特徴とする請求項３に記載の浴室暖房機。
【請求項５】
前記ファンは遠心送風型のファンであり、当該遠心送風型のファンから吐出される空気が前記排気ダクトの第１の開口に流入するように設けられると共に、当該排気ダクトの第２の開口を介して空気が当該遠心型のファンに吸気されるように設定されてなることを特徴とする請求項３又は請求項４のいずれか１項記載の浴室暖房機。
【発明の詳細な説明】
【０００１】
【発明の属する技術分野】
本発明は、浴室又は脱衣室の天井に設けられた１つの浴室暖房機で浴室と脱衣室との換気を同時に行うようにした浴室暖房機に関する。
【０００２】
【従来の技術】
近年、住宅事情の変化により浴室や脱衣室の換気を十分に行うことができない場合があり、浴室等の壁や天井にカビが発生し易いことが問題となっている。
【０００３】
また、住宅事情の変化により、洗濯物を乾かすための物干場を確保することが困難な場合も少なくなく、浴室等を物干場として使用することが提案されている。
【０００４】
かかる要求に対して、例えば特開平９−６６１９９号公報におけるような浴室暖房機が提案されている。
【０００５】
上記公報にかかる浴室暖房機１０は、図９に示すように、浴室の天井に取付けられて、内部に設けられた図示しない熱交換器で温水と浴室の空気とを熱交換して当該空気を加熱する浴室暖房機本体１１１、該浴室暖房機本体１１１に温水を供給する熱源機１１２、換気する空気を屋外に吐出す排気ダクト１１３等を有している。
【０００６】
【発明が解決しようとする課題】
しかしながら、上記構成では脱衣室の換気を行うには、脱衣室にも専用の換気装置を設けるか浴室暖房機を設ける必要があり、コストアップの要因になると共に、複数の排気ダクトが天井裏に配設されることになるため作業性及びメンテナンス性が悪いと言った問題があった。
【０００７】
即ち、浴室と脱衣室とに浴室暖房機を設ける場合や浴室に浴室暖房機を設けて脱衣室に換気装置を設けるような場合には、脱衣室に設ける浴室暖房機や換気装置のコストが別途必要になる。
【０００８】
また浴室の換気を行うための排気ダクトと脱衣室の換気を行うための排気ダクトとの２本の排気ダクトが天井裏に配設され、かつ、それらが屋外まで配管されるようになるため、排気ダクトの部材コストがかさむと共に、配管作業が２倍になり、かつ、メンテナンスにおいても何れの排気ダクトをメンテナンスするか注意しなければならなくなる面倒が生じる。
【０００９】
そこで、本発明は浴室にのみ浴室暖房機を設けた場合であっても、脱衣室の換気が行え、かつ、１本の排気ダクトで排気できるようにした浴室暖房機を提供することを目的とする。
【００１０】
【課題を解決するための手段】
上記課題を解決するため、請求項１にかかる発明は、浴室及び脱衣室の天井もしくは天井付近に設けられて、少なくともいずれか一方の室の暖房を可能に構成すると共に、これら両室の換気を単一の電動機で可能に構成する浴室暖房機において、一方の開口が屋外へつながる排気ダクトの他方を少なくとも２つの第１の開口と第２の開口とに分割し、浴室又は脱衣室のいずれか一方に設けた開口から排気空気を電動機で駆動されるファンを介して第１の開口へ導く風路と、浴室又は脱衣室の他方に設けた開口から排気空気を排気ダクトの一部及び第２の開口を介してファンへ導く風路とを備え、例えば浴室にのみ浴室暖房機を設けた場合であっても、脱衣室の換気が行え、かつ、１本の排気ダクトで排気できるようにしたことを特徴とする浴室暖房機。
【００１１】
請求項２にかかる発明は、排気ダクトの他方側は内部が少なくとも２分割されてそれぞれ第１の開口と第２の開口とにつながると共に、第２の開口につながる風路は第１の開口につながる風路と独立して構成され浴室又は脱衣室の他方に設けられた開口につながる風路につながっており、例えば浴室にのみ浴室暖房機を設けた場合であっても、脱衣室の換気が行え、かつ、１本の排気ダクトで排気できるようにしたことを特徴とする浴室暖房機。
【００１２】
請求項３にかかる発明は、ファンの吸い込み側を浴室又は脱衣室のいずれか一方の開口につながる区間と第２の開口につながる区間とに分割する区画壁を設け単一の排気ダクトを吸排気に用いて、１本の排気ダクトで排気できるようにしたことを特徴とする浴室暖房機。
【００１３】
請求項４にかかる発明は、第２の開口につながる区間の前記ファンに面した断面積は浴室又は脱衣室のいずれか一方の開口につながる区間の前記ファンに面する断面積より小さくしてファンに吸い込まれる空気のバランスをとり浴室、脱衣室の両方からバランスよく排気ができるようになるものである。
【００１４】
請求項５にかかる発明は、ファンが遠心送風型のファンであり、当該遠心送風型のファンから吐出される空気が排気ダクトの第１の開口に流入するように設けられると共に、当該排気ダクトの第２の開口を介して空気が当該遠心型のファンに吸気されるように設定されてなるので、例えば浴室にのみ浴室暖房機を設けた場合であっても、脱衣室の換気が行え、かつ、１本の排気ダクトで排気できるようにしたことを特徴とする浴室暖房機。
【００１５】
【発明の実施の形態】
本発明の実施の形態を図を参照して説明する。図１は本発明にかかる浴室暖房機１０を据付けたときの様子を示す図である。
【００１６】
浴室暖房機１０は浴室暖房機本体１１を有し、本体１１が浴室の天井に据付けられ、ダクト統合管１２となる部分を含む１本の排気ダクト１３がその一方の開口を屋外につなげて配設されると共に、本体１１と脱衣室とが１本の吸気ダクト（風路）１４により連結されている。１５は熱源機であり暖房用の温水を供給するものである。
【００１７】
図２は、かかる本体１１の外観斜視図であり、図３及び図４はその内部構成を示す斜視図である。なお、図３は図２の状態から後述するグリル２０を取除いた斜視図で、図４はさらに内部カバー２１を取除いたときの斜視図である。
【００１８】
図２において２０はグリルであり本体１１の本体ケース３４の浴室側に向いた開口を閉じるように設けられている。このグリル２０は４方の周辺部に第１〜第４吹出口２６〜２９が構成されていると共に、これら吹出口の開閉と吐出空気の方向を変えるように第１〜第４ルーバ２２〜２５が設けられている。
【００１９】
また、グリル２０の中央部には、脱着自在に吸気パネル３０が設けられ、この吸気パネル３０の裏面にはエアーフィルタが脱着自在に設けられている。
【００２０】
本体１１は浴室の空気を吸気パネル３０を介して吸気して、これを加熱した後、吹出口２６〜２９から浴室に送風する加熱部３１が内部に構成されている。
【００２１】
また、本体１１には吸気パネル３０を介して浴室の空気を換気する換気部３２及び制御部３３等が内部に収納されている。
【００２２】
図３はグリル２０を外した状態を示す斜視図であり、内部カバー２１によって循環用送風機３７のファンケーシングが構成され、吸気パネル３０から吸い込んだ空気を吹出口２６〜２９から吐出させる風路が形成される。この風路中には後記する熱交換器３７が配置されている。
【００２３】
また、３８は内部カバー２１に構成された浴室換気吸気口（開口）であり、この浴室換気吸気口３８の半分近くを覆うように構成された区画壁３９が設けられている。
【００２４】
この区画壁３９によって、吸気パネル３０から浴室換気吸気口３８から吸い込まれる空気の量を制限し、区画壁３９経由の脱衣室の空気を確実に浴室換気吸気口３８に導けるように構成している（詳細は後記する）。
【００２５】
図４は図３に示す状態から内部カバー２１を外した状態を示す斜視図である。本体ケース３４内は、仕切板３５により加熱部３１等が収納される加熱室と換気部３２や制御部３３等が収納される制御室とに区画されて、少なくとも制御室には浴室等の湿度の高い空気が侵入しないようになっている。
【００２６】
加熱部３１は、３辺からなる概略「コ」字状に形成された熱交換器３６、循環用送風機３７及び本体ケースと内部カバー２１とによるファンケーシングで構成され、熱源機１５から熱交換器３６へ循環してきた温水で空気を加熱することにより温風を浴室に供給するものである。
【００２７】
換気部３２は、内部カバー２１に設けられて浴室の換気用空気が吸入される浴室換気吸気口３８、浴室及び脱衣室の空気を吸気して排気ダクト１３のに吐出する換気用送風機４７、排気ダクト１３及び吸気ダクト１４が接続されるダクト統合管１２、本体ケース３４と内部カバー２１とによるファンケーシング等により構成されている。
【００２８】
また、この本体ケース３４にはダクト結合管１２の第２の開口から空気を区画壁３９内へ導く風路３９Ａが構成されている。
【００２９】
図５、図６はダクト統合管１２の説明図であり、本体ケース３４に装着されるダクト接続部４１、該ダクト接続部４１に固着された半円筒状の排気ダクト接続部４２、一端が閉塞板４３により閉塞された半円Ｔ字状の吸気ダクト接続部４４等を有している。
【００３０】
そして、吸気ダクト接続部４４の平面部４５を排気ダクト接続部４２の平面部４６に合わせて、当該吸気ダクト接続部４４をダクト接続部４１に挿入することによりダクト統合管１２が形成されている。
【００３１】
なお、吸気ダクト接続部４４及び排気ダクト接続部４２は共に断面が半円状に形成されているが、本発明はこれに限定されるものではなく、吸気ダクト接続部４４及び排気ダクト接続部４２の断面を四角形に形成してもよいことは付言するまでもない。
【００３２】
但し、上述したように吸気ダクト接続部４４と排気ダクト接続部４２とは相互に合わされ、その後テーピング等の手段により一体化されるためには共に平面部を有することが好ましい。
【００３３】
また、吸気ダクト接続部４４は、Ｔ字状をなす場合について説明したが本発明はこれに限定されるものではなく、Ｌ字状であってもよい。しかし、このように、Ｔ字状にすることにより両端部をテーピング等により固定することが可能になるので、吸気ダクト接続部４４と排気ダクト接続部４２との結合を強固にすることができる利点がある。
【００３４】
また、本実施例では吸気ダクト接続部４４と排気ダクト接続部４２とを併せることによってダクト結合管１２を構成したが、この構成に限るものではなく、例えば合成樹脂で一体に成形しても良く、図５の実線矢印で示す風路及び点線矢印で示す風路が構成されればよい。
【００３５】
ダクト結合管（排気ダクト）１２の一方（本体ケース３４側）の開口で実線矢印で示される風路を形成する開口が第１の開口に相当し、ダクト結合管（排気ダクト）１２の一方（本体ケース３４側）の開口で点線矢印で示される風路を形成する開口が第２の開口に相当する。
【００３６】
この第２の開口は風路３９Ａ、区画壁３９を介して浴室換気吸気口３８へつながるものである。
【００３７】
図７はダクト統合管１２を本体ケース３４に取付ける際の手順を示す図である。
【００３８】
この図において、本体ケース３４にダクト統合管１２を取付ける手順は、先ず取付けられた浴室暖房機１０の本体ケース３４内部から外に手を出し、ダクト統合管１２を把持して本体ケース３４の内側に引込む。その後、爪板４０を差込んでダクト統合管１２を本体ケース３４に固定することにより行われる。
【００３９】
なお、換気用送風機は、循環用送風機３７と同じ複数のエンペラが周囲に設けられた遠心型ファン４７であるため、空気は軸方向から吸気され周方向に吐出される。
【００４０】
このため、吸気ダクト接続部４４の開口が遠心型ファン４７の周面に位置していると、浴室の空気がこの吸気ダクト接続部４４を介して脱衣室に吹出される不都合が生じる。
【００４１】
そこで、前記したような風路３９Ａが本体ケーシング３４に形成されている。
【００４２】
これにより遠心型ファン（排気用送風機）４７には、浴室の空気及び脱衣室の空気が図８に示す点線のように流動し、また当該遠心型ファン４７から吐出される空気は排気ダクト接続部４２を介して流動するようになる。
【００４３】
このように、脱衣室の空気を吸気ダクト１４で浴室暖房機の本体１１に吸気し、浴室の空気と共に排気ダクト１３を介して排気するようにしたので、浴室にのみ浴室暖房機１０を設けた場合であっても、脱衣室の換気が行え、かつ、１本の排気ダクト１３で排気できるようになって、脱衣室に専用の換気装置や浴室暖房機１０を設ける必要がなくなり、コストアップを抑制することができると共に、複数の排気ダクト１３が天井裏に配設されることがなくなるため作業性及びメンテナンス性の低下を防止することが可能になる。
【００４４】
【発明の効果】
以上説明したように本発明によれば、排気ダクトの一部を成すダクト統合管により排気ダクトと風路を成す吸気ダクトとをつなげて本体ケースに接続するようにしたので、例えば浴室にのみ浴室暖房機を設けた場合であっても、脱衣室の換気が行え、かつ、１本の排気ダクトで排気できるようになる。
【００４５】
また、区画壁をもちいて排気用のファンに吸い込まれる空気の量を浴室と脱衣室とで適に配分することができ両室の排気を確実に行えるものである。
【図面の簡単な説明】
【図１】本発明の実施の形態の説明に適用される浴室暖房機の据付図である。
【図２】浴室暖房機の本体の斜視図である。
【図３】浴室暖房機の分解斜視図である。
【図４】浴室暖房機の分解斜視図である。
【図５】ダクト統合管の分解斜視図である。
【図６】ダクト統合管に接続される排気ダクト、吸気ダクト及び本体ケースの位置関係を示す説明図である。
【図７】ダクト統合管を本体ケースに取付ける際の手順を示す図である。
【図８】換気用送風機の遠心型ファンとダクト統合管との位置関係を示す図である。
【図９】従来の技術の説明に適用される浴室暖房機を浴室に取付けたときの模式図である。
【符号の説明】
１０  浴室暖房機
１１  浴室暖房機本体
１２  ダクト統合管
１３  排気ダクト
１４  吸気ダクト
３４  本体ケース
３９  区画壁
４０  爪板
４１  ダクト接続部
４２  排気ダクト接続部
４３  閉塞板
４４  吸気ダクト接続部
４５  平面部
４６  平面部
４７  遠心型ファン
【図１】
0004017284.tif 000002
【図２】
0004017284.tif 000003
【図３】
0004017284.tif 000004
【図４】
0004017284.tif 000005
【図５】
0004017284.tif 000006
【図６】
0004017284.tif 000007
【図７】
0004017284.tif 000008
【図８】
0004017284.tif 000009
【図９】
0004017284.tif 000010